(57)【要約】【課題】  コンパクトで取り扱い・保守が簡単で、光分岐数の追加が容易で低コストの、例えば１９インチラック用スプリッタを提供する。【解決手段】  ８分岐以上の光分配を行う第１の光分岐モジュール（１０）と、２分岐以上の光分配を行う第２の光分岐モジュールを少なくとも１つ収納するための収納スペースとを有する本体フレーム（１１）と、本体フレームに着脱可能な第２の光分岐モジュール（１２）と、第１の光分岐モジュールの出力部と第２の光分岐モジュールの入力部とを接続する手段（１６）とを備える。【選択図】  図２
2006201387.tif 000002
【特許請求の範囲】
【請求項１】
８分岐以上の光分配を行う第１の光分岐モジュールと、２分岐以上の光分配を行う第２の光分岐モジュールを少なくとも１台収納するための収納スペースとを有する本体フレームと、
前記本体フレームに着脱可能な前記第２の光分岐モジュールと、
前記第１の光分岐モジュールの出力部と前記第２の光分岐モジュールの入力部とを接続する手段と
を備えることを特徴とする光スプリッタ。
【請求項２】
前記第２の光分岐モジュールを前記本体フレーム内に固定するプラスチックラッチを更に備えることを特徴とする請求項１に記載の光スプリッタ。
【請求項３】
前記本体フレームの収納スペースは、前記第２の光分岐モジュールを最大４台収納できる高さを有することを特徴とする請求項１又は２に記載の光スプリッタ。
【請求項４】
前記第１の光分岐モジュール又は前記第２の光分岐モジュールは、ファイバ型光スプリッタ又は導波路型光スプリッタであることを特徴とする請求項１から３のいずれか１に記載の光スプリッタ。
【発明の詳細な説明】
【技術分野】
【０００１】
本発明は、通信システムにおいて適応される光スプリッタに関し、より詳細には、１台の伝送装置と複数台のユーザ側伝送装置との間を光ファイバと光スプリッタとで結んだパッシブダブルスター（ＰＤＳ）型光通信方式において光束を分岐する、例えば１９インチラック用光スプリッタに関する。
【背景技術】
【０００２】
図１にパッシブダブルスター型光通信システムの一構成例を示す。電話局などの局舎に設けた１台の局所伝送装置１とユーザ宅に設けたユーザ側伝送装置２とを光スプリッタ３と光ファイバ４とを介して接続することにより本システムが構成されている。この局所伝送装置１からの光信号を光スプリッタ３で分岐して各ユーザ側伝送装置２に送信し、逆に、ユーザ側伝送装置２からの光信号を光スプリッタで合波して局所伝送装置１に送信することにより、複数のユーザに対して光通信サービスを提供することができる。
【０００３】
本システムにおいて使用される光スプリッタは、一般には１ｘ８スプリッタ（８分岐）あるいは１ｘ１６スプリッタ（１６分岐）を基本とし、ユーザが増加するとともに１ｘ２スプリッタ（２分岐）を増やすことで分岐を増やす形をとる。光スプリッタとしてはファイバ型と導波路型の２種のものが知られている。ファイバ型は、ファイバを１−４本束ね加熱延伸することにより作製するものであり４分岐（１ｘ４の分岐）が可能である。８分岐（１ｘ８の分岐）あるいはそれ以上の分岐にするには１ｘ２スプリッタ又は１ｘ４スプリッタをファイバ部で融着接続することにより作製している。たとえば８分岐は、３個の１ｘ２スプリッタを融着接続することにより作製している。また、導波路型は、基板の上に石英やポリマの光導波路をＬＳＩ作製と類似な方法で作製しこれにファイバを接続したものである。これまでの光スプリッタは、光ファイバケーブルの芯線とスプリッタの芯線とを接続部において融着あるいはメカニカルスプライスにより接続している。
【発明の開示】
【発明が解決しようとする課題】
【０００４】
しかしながら、上述の従来技術には以下に示す問題がある。
【０００５】
上述の光スプリッタや接続部は、ＥＩＡ規格、ＪＩＳ規格で設定されている、例えば、１９インチラックに特殊な収容トレイあるいは両面接着テープで固定され使用していた。このため従来の光スプリッタは、ファイバ処理のため大きな空間を必要とし、また取り扱い・保守が難しく、ユーザの増減に対して１ｘ２スプリッタの追加などの柔軟な対応が困難である等の問題点があった。特に、現状の収納ユーザ数を考慮しつつ、将来的に飛躍的に増大するユーザ数の収納を考慮すると、現状のスプリッタ収納装置には、例えば、１９インチラックへの収納を考えると、以下の問題があった。
【０００６】
（１）入出力ポートの実装密度を高くできない。（２）入出力のポート数が固定され自由度が低い。（３）現状では必要のないスプリッタをあらかじめ組み込んでおく必要がある。
【０００７】
このため、分岐部品が大きなコスト割合をしめるネットワークに要する１回線あたりのコストを低く抑えることができなかった。
本発明は、このような課題に鑑みてなされたもので、その目的とするところは、コンパクトで取り扱い・保守が簡単であって、かつ、光分岐数の追加が容易で光分岐数を自由に選択可能な低コストの光スプリッタを提供することにある。
【課題を解決するための手段】
【０００８】
上記の目的を達成するために、本発明の光スプリッタは、８分岐以上の光分配を行う第１の光分岐モジュールと、２分岐以上の光分配を行う第２の光分岐モジュールを少なくとも１台収納するための収納スペースとを有する本体フレームと、本体フレームに着脱可能な第２の光分岐モジュールと、第１の光分岐モジュールの出力部と第２の光分岐モジュールの入力部とを接続する手段とを備えることを特徴とする。
【０００９】
また、本発明の光スプリッタは、第２の光分岐モジュールを本体フレーム内に固定するプラスチックラッチを更に備えることを特徴とする。
【００１０】
また、本発明の光スプリッタにおいては、本体フレームの収納スペースは、第２の光分岐モジュールを最大４台収納できる高さを有することを特徴とする。
【００１１】
さらに、本発明の光スプリッタにおいては、前述の第１の光分岐モジュール又は前述の第２の光分岐モジュールは、ファイバ型光スプリッタ又は導波路型光スプリッタであることを特徴とする。
【発明の効果】
【００１２】
本発明によれば、コンパクトで取り扱い・保守が簡単であって、かつ、光分岐数の追加が容易で光分岐数を自由に選択可能な低コストの光スプリッタを提供することができる。
【発明を実施するための最良の形態】
【００１３】
以下に、本発明の光スプリッタの実施形態の例を、図面を参照して詳細に説明する。
【００１４】
図２は、本発明の光スプリッタの第１の実施形態を示す図である。図２（ａ）は、第１の実施形態の上面を示す図であり、図２（ｂ）は、第１の実施形態の背面を示す図であり、図２（ｃ）は、第１の実施形態の前面を示す図である。
【００１５】
本実施形態の光スプリッタは、ファイバ型光スプリッタ又は導波路型光スプリッタで作製した８分岐以上のモジュール１０を内蔵した本体フレーム１１と、１ｘ２スプリッタをモジュール化し入出力コネクタを配備した追加用の２分岐以上のモジュール１２とを備える。本体フレーム１１は、１９インチラックに固定するための部材１３を備える。本体フレーム１１の前面には入出力用のアダプタ１４が設置されている。本体フレーム１１内には２分岐以上のモジュール１２用のガイド１５が設置され、２分岐以上のモジュール１２を複数段重ねて設置することが可能である。２分岐以上のモジュール１２は必要に応じて着脱可能である。本体フレーム１１と２分岐以上のモジュール１２とはコネクタ付き光コード１６を介して接続される。１７は、本体フレーム１１に２分岐以上のモジュール１２を固定するためのプラスチックラッチである。
【００１６】
本体フレーム１１の前面に設置された入出力用のアダプタ１４について更に詳しく説明する。特に、出力用アダプタ１４は、出力ポート数をできるだけ多くするために、２連アダプタを最大８個配列する形状となっており、２分岐以上のモジュール１２に接続するコネクタを通常のＳＣコネクタとし、その取り扱い性を考えて１ｘ１６までの２分岐以上のモジュール１２を内蔵できる。さらに、コンパクトなＭＵコネクタなどによって２分岐以上のモジュール１２を接続する場合は、２連アダプタ数をさらに増加することや、出力用アダプタ１４をさらに多連のものを用いて出力ポート数を増やすことも可能であり、その場合の２分岐以上のモジュール１２の分岐数を１６分岐以上とすることも可能である。
【００１７】
図３（ａ）、図３（ｂ）は、２分岐以上のモジュール１２の構造を示した図であり、図３（ａ）は上面図であり、図３（ｂ）は前面図である。２分岐以上のモジュール１２には２分岐スプリッタ１９が内蔵されており、２分岐以上のモジュール１２の出力側には出力ポートとしてアダプタ１８が配置されている。アダプタ１８と２分岐スプリッタ１９の接続は簡易ＳＣフェノールで接続されているが、この簡易ＳＣフェノールを用いずとも、通常のＳＣコネクタでの接続も可能である。一方、２分岐以上のモジュール１２の入力側は、コネクタ付光コード１６が接続されており、コネクタ付き光コード１６は、２分岐以上のモジュール１２本体に配備された穴１００から出る構造となっている。また、２分岐以上のモジュール１２の前面パネルは、プラスチックラッチを挿入する穴１０１を備え、穴１０１にはラッチが配備されている。２分岐以上のモジュール１２の高さは、アダプタの幅９．５ｍｍに合わせており、１９インチの１ユニットの高さから考えて最大数の４段が挿入できるようにしている。
【００１８】
尚、本体フレーム１１には８分岐以上のモジュールを内蔵できるため、例えば、１６分岐モジュールを内蔵してもよい。また本実施形態で使用するコネクタとしては、例えば、ＳＣ，ＦＣ，ＬＣ，ＭＵ，簡易ＳＣ等一般に用いられるコネクタを使用可能であり、この組み合わせを考えることで高密度な光接続が可能である。
【００１９】
図４は、本発明の光スプリッタの第２の実施形態を示す図である。図４（ａ）は、第２の実施形態の上面を示す図であり、図４（ｂ）は、第２の実施形態の背面を示す図であり、図２（ｃ）は、第２の実施形態の前面を示す図である。
【００２０】
本体フレーム２１は、８分岐モジュール２３を備え、８分岐モジュール２３は、１×２ファイバカプラ１本と１×４ファイバカプラの２本を融着接続したＡＢＳ樹脂からなるボックス２３からなる。また、２４は、８分岐モジュールの出力用アダプタであり、２５は、８分岐モジュールの入力用アダプタである。２６は、２分岐モジュールであり、２７は、２分岐モジュール２６の入力用のコネクタ付光コードであり、２８は、２分岐モジュール２６の出力用アダプタである。
【００２１】
本実施形態においては、２分岐モジュール２６が本体フレーム２１に２台挿入されており、それらは、８分岐モジュール２３の２箇所の出力用アダプタ２４にコネクタ付き光コード２７を介して接続されている。この２台の２分岐モジュール２６を挿入しない場合の光スプリッタ（本体フレーム２１）の出力ポート数は、８ポートであるが、２分岐モジュール２６を２台挿入することによって、出力ポート数は、１０ポート（＝本体フレーム２１から６ポート＋２台の２分岐モジュールから４ポート）になる。２分岐モジュール２６を挿入しない場合の１ポートあたりの平均挿入損失は、波長１２７０ｎｍから１５９０ｎｍの範囲においてコネクタ損失を含んで１０．６ｄＢ、均一性は、２．０ｄＢ、偏波依存性損失は、０．３ｄＢである。また、ダイレクティビティは、４０ｄＢ以上、反射減衰量は、４５ｄＢ以上である。一方、２分岐モジュール２６を２台挿入した場合の損失は、６ポートの挿入損失は波長１２７０ｎｍから１５９０ｎｍの範囲においてコネクタ損失を含んで１０．６ｄＢ、均一性は、２．５ｄＢ、偏波依存性損失は、０．５ｄＢであり、残りの４ポートの平均挿入損失は、波長１２７０ｎｍから１５９０ｎｍの範囲においてコネクタ損失を含んで１４．６ｄＢ、均一性は、２．７ｄＢ、偏波依存性損失は、０．５ｄＢ、ダイレクティビティは、４０ｄＢ以上、反射減衰量は、４５ｄＢ以上である。この結果からわかるように、出力ポート数を８から１０に増やすこと、すなわち、ユーザ数を８箇所から１０箇所に増やすことができる。さらに２分岐モジュール２６を６台追加挿入することによって、出力ポート数は、１６ポート（＝８台の２分岐モジュールから１６ポート）になり、ユーザ数を１０箇所から１６箇所に増やすこともできる。この場合の１６ポートの挿入損失は、前述の平均挿入損失とほぼ同等の値で、波長１２７０ｎｍから１５９０ｎｍの範囲において、コネクタ損失を含んで１４．８ｄＢ、均一性は、２．８ｄＢ、偏波依存性損失は、０．５ｄＢ、ダイレクティビティは、４０ｄＢ以上、反射減衰量は、４５ｄＢ以上である。
【００２２】
図５は、本発明の光スプリッタの第３の実施形態を示す図である。図５（ａ）は、第３の実施形態の上面を示す図であり、図５（ｂ）は、第３の実施形態の背面を示す図であり、図５（ｃ）は、第３の実施形態の前面を示す図である。
【００２３】
本体フレーム３１は、１６分岐モジュール３２を備え、１６分岐モジュール３２は、導波路型スプリッタを基に構成されている。３７は、１６分岐モジュール３２の出力用アダプタであり、３４は、２６分岐モジュール３２の入力用アダプタであり、３５は、２分岐モジュールであり、３６は、２分岐モジュールの入力用のコネクタ付光コードであり、３３は、２分岐モジュール３５の出力用アダプタである。
【００２４】
本実施形態においては、２分岐モジュール３５が１６台挿入されており、それらは、１６分岐モジュール３２の出力ポート３７の１６箇所にコネクタ付き光コード３６を介して接続されている。２分岐モジュール３５を挿入しない場合の光スプリッタ（本体フレーム３１）の出力ポート数は、１６ポートであったが、２分岐モジュール３５を１６台挿入することによって、出力ポート数は、３２ポート（＝１６台の２分岐モジュールから３２ポート）になる。２分岐モジュール３５を挿入しない場合の１ポートあたりの平均挿入損失は、波長１２７０ｎｍから１５９０ｎｍの範囲においてコネクタ損失を含んで１３．０ｄＢ、均一性は、２．０ｄＢ、偏波依存性損失は、０．３ｄＢであった。また、ダイレクティビティは、４０ｄＢ以上、反射減衰量は、４５ｄＢ以上である。一方、２分岐モジュール３５を１６台挿入した場合の損失は、平均挿入損失としてコネクタ損失を含んで１７．０ｄＢ、均一性は、２．５ｄＢ、偏波依存性損失は、０．５ｄＢである。また、ダイレクティビティは、４０ｄＢ以上、反射減衰量は、４５ｄＢ以上である。この結果からわかるように、２分岐モジュール３５を１６台挿入することによって、出力ポート数を８から３２に増やすこと、すなわち、ユーザ数を８箇所から３２箇所に増やすことができる。
【００２５】
図６は、本発明の光スプリッタの第４の実施形態を示す図である。図６（ａ）は、第４の実施形態の上面を示す図であり、図６（ｂ）は、第４の実施形態の背面を示す図であり、図６（ｃ）は、第４の実施形態の前面を示す図である。
【００２６】
本体フレーム４１は、８分岐モジュール４２を備え、８分岐モジュール４２は、１×２ファイバカプラ１本と１×４ファイバカプラの２本を融着接続したＡＢＳ樹脂からなるボックス４３からなる。また、４４は、８分岐モジュール４２の出力用アダプタであり、４５は、８分岐モジュール４２の入力用アダプタである。４６は、４分岐モジュールであり、４７は、４分岐モジュール４６の入力用のコネクタ付光コードであり、４８は、４分岐モジュール４６の出力用アダプタである。
【００２７】
本実施形態においては、４分岐モジュール４６が８台挿入されており、それらは、８分岐モジュール４２の８箇所の出力用アダプタ４４にコネクタ付き光コード４７を介して接続されている。また４分岐モジュール４６の挿入した場合の損失は、平均挿入損失としてコネクタ損失を含んで１６．８ｄＢ、均一性は、２．５ｄＢ、偏波依存性損失は０．４ｄＢである。また、ダイレクティビティは、４０ｄＢ以上、反射減衰量は、４５ｄＢ以上である。この結果からわかるように、４分岐モジュール４６を８台挿入することによって、出力ポート数は、３２ポート（＝８台の４分岐モジュールから３２ポート）になり、ユーザ数は３２箇所になる。
【００２８】
本実施形態は例示であって制限的なものではない。したがって、本実施形態の他にも変形は可能である。その変形が特許請求の範囲によって示される技術的思想の範囲内である限り、その変形は本発明の技術的範囲内である。
【図面の簡単な説明】
【００２９】
【図１】バッシブダブルスタ型光通信システムの一例を示すブロック図である。
【図２】（ａ）は、本発明の光スプリッタの第１の実施形態の上面を示す図である。（ｂ）は、本発明の光スプリッタの第１の実施形態の背面を示す図である。（ｃ）は、本発明の光スプリッタの第１の実施形態の前面を示す図である。
【図３】（ａ）は、本発明の光スプリッタにおける２分岐以上の光分配を行う第２の光分岐モジュールの上面を示す図である。（ｂ）は、本発明の光スプリッタにおける２分岐以上の光分配を行う第２の光分岐モジュールの前面を示す図である。
【図４】（ａ）は、本発明の光スプリッタの第２の実施形態の上面を示す図である。（ｂ）は、本発明の光スプリッタの第２の実施形態の背面を示す図である。（ｃ）は、本発明の光スプリッタの第２の実施形態の前面を示す図である。
【図５】（ａ）は、本発明の光スプリッタの第３の実施形態の上面を示す図である。（ｂ）は、本発明の光スプリッタの第３の実施形態の背面を示す図である。（ｃ）は、本発明の光スプリッタの第３の実施形態の前面を示す図である。
【図６】（ａ）は、本発明の光スプリッタの第４の実施形態の上面を示す図である。（ｂ）は、本発明の光スプリッタの第４の実施形態の背面を示す図である。（ｃ）は、本発明の光スプリッタの第４の実施形態の前面を示す図である。
【符号の説明】
【００３０】
１  局所伝送装置
２  ユーザ側伝送装置
３  光スプリッタ
４  光ファイバ
１０  ８分岐以上のモジュール
１１  ８分岐以上のモジュールを内蔵した本体フレーム
１２  ２分岐以上のモジュール
１３  １９インチラックに固定するための部材
１４  入出力用アダプタ
１５  ２分岐以上のモジュール用のガイド
１６  コネクタ付き光コード
１７  プラスチックラッチ
１８  アダプタ
１９  ２分岐スプリッタ
２１  ８分岐モジュールを内蔵した本体フレーム
２３  ＡＢＳ樹脂からなるボックス
２４  出力用アダプタ
２５  入力用アダプタ
２６  ２分岐モジュール  
２７  コネクタ付光コード
２８  出力用アダプタ
３１  １６分岐モジュールを内蔵した本体フレーム  
３２  導波路型スプリッタを基に構成された１６分岐モジュール  
３３  出力用アダプタ
３４  入力用アダプタ
３５  ２分岐モジュール
３６  コネクタ付光コード
３７  出力用アダプタ  
４１  ８分岐モジュールを内蔵した本体フレーム
４２  ８分岐モジュール  
４３  ＡＢＳ樹脂からなるボックス  
４４  出力用アダプタ
４５  入力用アダプタ
４６  ４分岐モジュール
４７  コネクタ付光コード
４８  出力用アダプタ
【図１】
2006201387.tif 000003
【図２】
2006201387.tif 000004
【図３】
2006201387.tif 000005
【図４】
2006201387.tif 000006
【図５】
2006201387.tif 000007
【図６】
2006201387.tif 000008